(57)【要約】【課題】什器の利用者が、個々の着座空間を脅かされることなく、接続ポートの利用が可能な什器を提供する。【解決手段】什器１は、座部１２を有し、床面Ｆに設置される支持体２と、座部１２の着座方向の後方に設けられ、座部１２に着座する着座者の着座空間Ｓを形成する空間形成体２０と、電子機器が接続可能な接続ポート３２，３３を有し、電子機器に給電可能な給電部３０Ａと、を備え、給電部３０Ａは、空間形成体２０の着座方向の前側に配置されていることを特徴とする。【選択図】図１
2017217398.tif 000002
【特許請求の範囲】
【請求項１】
座部を有し、床面に設置される支持体と、
前記座部の着座方向の後方に設けられ、該座部に着座する着座者の着座空間を形成する空間形成体と、
電子機器が接続可能な接続ポートを有し、前記電子機器に給電可能な給電部と、を備え、
前記給電部は、前記空間形成体の前記着座方向の前側に配置されていることを特徴とする什器。
【請求項２】
前記座部に着座する着座者の前記着座方向の後方に設けられた背凭れを、備え、
前記空間形成体は、前記背凭れの前記着座方向の後方に配置され、前記背凭れのよりも上方まで延びパネル状をなすパネル部材を有し、
前記給電部は、前記パネル部材における前記背凭れよりも上方の位置に配置されていることを特徴とする請求項１に記載の什器。
【請求項３】
前記背凭れは、
前記座部の後部から上方に立ち上がるように設けられた背凭れベースと、
前記背凭れベースの前記着座方向の前方に配置され、前記前方に向かって膨らむ背当て部材と、を有することを特徴とする請求項２に記載の什器。
【請求項４】
前記背凭れベースの上端から上方に延びる支柱を備え、
前記給電部は、前記支柱上に設けられていることを特徴とする請求項３に記載の什器。
【請求項５】
前記支柱は、前記背凭れベースに係止されていることを特徴とする請求項４に記載の什器。
【請求項６】
前記空間形成体は、前記座部及び前記背凭れの少なくとも一方と連結されていることを特徴とする請求項２から５のいずれか一項に記載の什器。
【請求項７】
前記空間形成体には、外部電力源に通線される配線が収容される配線収容部が形成されていることを特徴とする請求項１から６のいずれか一項に記載の什器。
【請求項８】
前記給電部を支持する支持部材を、備え、
前記パネル部材は、複数隣接配置され、
前記支持部材は、隣接する前記パネル部材の間に挟持されていることを特徴とする請求項２から６のいずれか一項に記載の什器。
【請求項９】
前記給電部は、前記接続ポートが前記着座方向の前方を向くように設けられていることを特徴とする請求項１〜８のいずれか一項に記載の什器。
【発明の詳細な説明】
【技術分野】
【０００１】
本発明は、什器に関するものである。
【背景技術】
【０００２】
一般に、空港等の公共施設等の各種施設には、利用者が着座可能なソファー等の椅子が設置されている。このような椅子は、床面上に設けられる脚部と、脚部に支持された座部及び背凭れと、を備えている。
【０００３】
近年、出先においても、ノート型ＰＣ（パーソナルコンピュータ）、タブレット端末、携帯型電話端末、スマートフォン等の電子機器に装備された充電池を充電することに対する要求が高まっている。
このため、各種の施設、列車、自動車等の室内空間に設置された椅子の周辺等に、コンセントや、給電可能なＵＳＢ（Ｕｎｉｖｅｒｓａｌ  Ｓｅｒｉａｌ  Ｂｕｓ）コネクタ等が装備されつつある。
【０００４】
例えば、特許文献１には、床面に設置される脚体と、脚体に支持された座部と、脚体に支持され隣り合う座部の間に配置されたコンセントボックスと、を備え、コンセントボックスにコンセントが設けられた椅子が提案されている。コンセントとして、電源コンセント及び充電用ＵＳＢポートが上下にそれぞれ設けられている。
【先行技術文献】
【特許文献】
【０００５】
【特許文献１】特開２０１６−２４３１号公報
【発明の概要】
【発明が解決しようとする課題】
【０００６】
しかしながら、上記の特許文献１に記載の椅子のように空港の待合ロビー等のような不特定多数の人間が利用する空間や、オフィス等のような多数の人間が利用する空間において、椅子等の什器に設けられたコンセント等のケーブルが接続される接続ポートを、当該什器に着座している以外の者に利用されると、当該什器を利用している者にとっては、個人の着座空間を脅かされて不快に感じる可能性がある。さらに、着座者が接続ポートを利用して充電しつつ、電子機器で作業をしている際に他人に覗き込まれたりすると、他人の視線が気になり作業に集中できない可能性がある。
【０００７】
また、上記の特許文献１に記載の椅子では、コンセントボックスの接続ポートと接続されたケーブルは、例えば、上方に延び、椅子の座部の上面に沿って後方に延び、座部上の所定の箇所で電源アダプターや余長ケーブルが束ねられて、当該所定の箇所からさらに前方等に延び電子機器に接続される。このようにケーブルが複数回折り返されるため、ケーブルの取り回しが複雑になってしまうという問題点がある。
【０００８】
本発明は、上記事情に鑑みてなされたものであり、個々の着座空間を脅かされることなく接続ポートの利用が可能であるとともに、配線の取り回しがスムーズな什器を提供するものである。
【課題を解決するための手段】
【０００９】
本発明は、上記課題を解決するため、本発明は以下の手段を採用する。
すなわち、本発明に係る什器は、座部を有し、床面に設置される支持体と、前記座部の着座方向の後方に設けられ、該座部に着座する着座者の着座空間を形成する空間形成体と、電子機器が接続可能な接続ポートを有し、前記電子機器に給電可能な給電部と、を備え、前記給電部は、前記空間形成体の前記着座方向の前側に配置されていることを特徴とする。
【００１０】
このように構成された什器では、座部に着座する着座者は、空間形成体に配置された給電部の接続ポートを利用して、電子機器に給電することができる。給電部は座部の着座方向の後方に設けられた空間形成体の着座方向の前側、すなわち空間形成体の着座者側に配置されているため、給電部は着座者が利用するためのものと認識しやすく、着座者以外の者が給電部を利用することが抑制される。よって、空間形成体により着座者の着座空間が形成され、着座者は個人の当該着座空間を脅かされることなく、接続ポート及び電子機器を利用することができる。
また、接続ポートが設けられた給電部は空間形成体の着座空間の前側に設けられているため、接続ポートに接続された配線は、座部に着座する着座者の後方から前方に向かって延び電子機器に接続される。つまり、配線は例えば前後方向に延びるだけであり、取り回しがスムーズである。
【００１１】
また、本発明に係る什器は、前記座部に着座する着座者の前記着座方向の後方に設けられた背凭れを、備え、前記空間形成体は、前記背凭れの前記着座方向の後方に配置され、前記背凭れのよりも上方まで延びパネル状をなすパネル部材を有し、前記給電部は、前記パネル部材における前記背凭れよりも上方の位置に配置されていることが好ましい。
【００１２】
このように構成された什器では、座部に着座する着座者は、着座方向の後方に設けられた背凭れに背中を支持させて快適に着座することができる。
さらに、空間形成体は背凭れの着座方向の後方に配置され、背凭れのよりも上方まで延びパネル状をなすパネル部材を有している。当該パネル部材における背凭れよりも上方の位置に給電部が配置されているため、接続ポートに接続されたケーブルが着座者の邪魔になることなく快適に充電することができる。
【００１３】
また、本発明に係る什器では、前記背凭れは、前記座部の後部から上方に立ち上がるように設けられた背凭れベースと、前記背凭れベースの前記着座方向の前方に配置され、前記前方に向かって膨らむ背当て部材と、を有していてもよい。
【００１４】
このように構成された什器では、着座者は、背凭れベースの着座方向の前方に配置され、前方に向かって膨らむ背当て部材に背中を支持させることができるため、快適に着座することができる。
また、背当て部材は前方に向かって膨らむ構成であるため、着座者の背中と空間形成体との間には前後方向の空間が形成される。よって、空間形成体の前側に配置された給電部が着座者の背中や後頭部等の身体の後部と接触することが抑制され、安全に充電することができる。
【００１５】
また、本発明に係る什器は、前記背凭れベースの上端から上方に延びる支柱を備え、前記給電部は、前記支柱上に設けられていてもよい。
【００１６】
このように構成された什器では、背凭れベースよりも上方に延びる支柱上に給電部が設けられているため、接続ポートが背凭れよりも上方に露出する。よって、接続ポートへの電源プラグや各種のコネクタの接続を容易かつ確実に行うことができる。
【００１７】
また、本発明に係る什器では、前記支柱は、前記背凭れベースに係止されていてもよい。
【００１８】
このように構成された什器では、支柱は背凭れベースの上端に係止して設ければよいので、組立性に優れる。
【００１９】
また、本発明に係る什器では、前記空間形成体は、前記座部及び前記背凭れの少なくとも一方と連結されていてもよい。
【００２０】
このように構成された什器では、空間形成体は座部及び背凭れの少なくとも一方と連結されているため、着座者が空間形成体に荷重を加えた場合に、空間形成体は座部及び背凭れの少なくとも一方とともに所定の強度を有する。よって、着座者は接続ポートを利用して、安全に充電することができる。
【００２１】
また、本発明に係る什器は、前記空間形成体には、外部電力源に通線される配線が収容される配線収容部が形成されていてもよい。
【００２２】
このように構成された什器では、空間形成体には外部電力源に通線される配線が収容される配線収容部が形成されているため、配線の外部への露出が抑制される。よって、外観品質よく、充電をすることができる。
【００２３】
また、本発明に係る什器は、前記給電部を支持する支持部材を、備え、前記パネル部材は、複数隣接配置され、前記支持部材は、隣接する前記パネル部材の間に挟持されていてもよい。
【００２４】
このように構成された什器では、給電部を支持する支持部材は隣接するパネル部材の間に挟持されているため、支持部材の露出が抑制され、外観品質を向上させることができる。
【００２５】
また、本発明に係る什器では、前記給電部は、前記接続ポートが前記着座方向の前方を向くように設けられていてもよい。
【００２６】
このように構成された什器では、着座者が接続ポートに電源プラグや各種のコネクタを、座部の前方、つまり背凭れの前面に対面した側から容易に接続することができる。
【発明の効果】
【００２７】
本発明に係る椅子によれば、什器の利用者が、個々の着座空間を脅かされることなく、接続ポートを利用することができる。
【図面の簡単な説明】
【００２８】
【図１】本発明の第１の実施形態に係る什器の全体構成を示す斜視図である。
【図２】上記什器の側面図である。
【図３】互いに隣接するパネル部材どうしの間に設けられる支持部材及び支持部材に支持された給電部を示す斜視展開図である。
【図４】互いに隣接するパネル部材どうしの間に設けられた支持部材を示す断面図である。
【図５】互いに隣接するパネル部材どうしの間に挟持された支持部材を示す平面図である。
【図６】本発明の第２の実施形態に係る什器の全体構成を示す斜視図である。
【図７】上記什器の側面図である。
【図８】背凭れベース上に係止された支柱及び支柱に支持された給電部を示す斜視図である。
【図９】給電部を支持する支柱を斜め前方から見た斜視図である。
【図１０】給電部を支持する支柱を斜め後方から見た斜視図である。
【発明を実施するための形態】
【００２９】
以下、添付図面を参照して、本発明に係る什器を実施するための形態を説明する。しかし、本発明はこれらの実施形態のみに限定されるものではない。
【００３０】
（第１の実施形態）
図１は、本発明の第１の実施形態に係る什器の全体構成を示す斜視図である。図２は、上記什器の側面図である。図３は、互いに隣接するパネル部材同士の間に設けられる支持部材及び支持部材に支持された給電部を示す斜視展開図である。図４は、互いに隣接するパネル部材どうしの間に設けられた支持部材を示す断面図である。図５は、互いに隣接するパネル部材どうしの間に挟持された支持部材を示す平面図である。
図１、図２に示すように、ソファーユニット（什器）１は、着座可能な複数のソファー（椅子）１０と、各ソファー１０の背面側に一体的に設けられたパネル体（空間形成体、パネル部材）２０と、給電装置（給電部）３０Ａと、を備えている。
以下の説明において、便宜上、ソファー１０に着座した着座者が前を向く方向を着座方向とし、着座方向の前方を単に「前方」、その反対方向を「後方」と称する。また、ソファー１０が設置される床面Ｆ側とその反対側を結ぶ方向を「上下方向」と称する。また、ソファー１０の幅方向、つまり前後方向と直交する水平方向を「幅方向」と称する。また、図中において、前方を矢印ＦＲで示し、上方を矢印ＵＰで示し、幅方向の左方を矢印ＬＨで示す。
【００３１】
（ソファー）
本実施形態では、ソファーユニット１は、互いに隣接配置された２個のソファー１０を備えている。各ソファー１０は、床面Ｆ上に設置される支持体２と、支持体２に支持され着座者の背を受ける背凭れ１４とを有している。
【００３２】
支持体２は、上方に向かって延びる４本の脚部１１と、これら脚部１１に支持された座部１２と、を有している。
【００３３】
脚部１１は、ソファー１０の前後方向および幅方向に間隔を有して４本設けられている。これら脚部１１の上端は、座部１２の下面に取り付けられている。座部１２の上面は、利用者が着座可能な座面１２ｕとされている。
【００３４】
背凭れ１４は、背凭れベース１６と、クッション（背当て部材）１７と、を備えている。
背凭れベース１６は、鉛直面内に位置する板状で、下部が座部１２の後部に連結されて、座部１２の座面１２ｕよりも上方に向かって突出するよう延びている。ここで、背凭れベース１６は、着座者による荷重に耐えうるよう、所要の強度を有した材料、例えば、木系材料、樹脂系材料、金属系材料、あるいはこれらを組み合わせた複合材料等の硬質材料から形成されている。
【００３５】
クッション１７は、背凭れベース１６の前方に沿って配置されている。クッション１７は、背凭れベース１６よりも柔軟で、例えば布やビニール素材のカバー１７ａ内に、スポンジ、ウレタン等の軟質材料からなる各種クッション材が充填されている。クッション１７の前面１７ｆは、前方に向かって膨らむ形状をなしている。なお、このクッション１７は、図１、図２に図示した形状に限らず、いかなる形状であってもよい。
【００３６】
（パネル体）
本実施形態では、ソファー１０の背凭れ１４の背面に沿って、２枚のパネル体２０が隣接配置されている。
図２に示すように、パネル体２０は、パネル状の基体２１の両面に、柔軟性および弾性を有した材料、例えば発泡ウレタン材等からなるクッション材２２と、基材およびクッション材２２を覆う表皮材２３と、を備えている。
【００３７】
基体２１の外周部には、フレーム２４が設けられている。フレーム２４は、パネル体２０の外周部に沿って周方向に連続し、パネル体２０の内方に向けて窪んだ溝２４ｍを有している。隣接配置されたパネル体２０において、隣接する溝２４ｍ間は、後述する外部電力源（不図示。以下同じ。）に通線される給電ケーブル（配線）３５を収容可能な配線収容部Ｃ１とされている。
【００３８】
パネル体２０の下部は、Ｌ字状のジョイント金具２６を介し、ソファー１０の座部１２の下面に連結されている。また、図１に示すように、パネル体２０の上下方向の中間部は、パネル体２０の前面に設けられた下向きコ字状の係止フック２７が、ソファー１０の背凭れベース１６の上端１６ｔに係止されることで固定されている。
これにより、パネル体２０は、ソファー１０の背凭れベース１６の後方に沿うようにしてソファー１０と一体に設けられている。また、パネル体２０は、背凭れベース１６よりも上方に延出して設けられている。
【００３９】
図３、図４に示すように、上記したようなパネル体２０の下部のコーナー部には、床面Ｆに接地することで、パネル体２０を床面Ｆ上に立設させる支持脚体２５が設けられている。
支持脚体２５は、フレーム２４の下部端部に収容される基部２５ａと、基部２５ａから下方に延びる支持脚部２５ｂと、を一体に備えている。また、支持脚体２５には、支持脚部２５ｂに対してパネル体２０の幅方向外側に、下方およびパネル体２０の幅方向外側に開口したスリット２５ｓが形成されている。図４に示すように、このスリット２５ｓ内には、上方に窪んだ凹部２５ｔが形成されている。
【００４０】
パネル体２０の上部２０ｕは、背凭れベース１６よりも上方に延びている。
【００４１】
図１及び図２に示すように、パネル体２０により、該パネル体２０よりも前方には、各ソファー１０に着座した利用者の着座空間Ｓが形成されている。パネル体２０よりも前方において、隣接するソファー１０間の境界部Ｓ０よりも一方のソファー１０側は該一方のソファー１０を利用する着座者の第一着座空間Ｓ１とされ、境界Ｓ０よりも他方のソファー１０側は該他方のソファー１０を利用する着座者の第二着座空間Ｓ２とされている。換言すると、第一着座空間Ｓ１及び第二着座空間Ｓ２は、境界部Ｓ０を挟んで隣接配置されている。
【００４２】
（給電装置）
図１〜図３に示すように、給電装置３０Ａは、各ソファー１０に着座した利用者が、電子機器の充電等を行う際に利用することができるものである。図３に示すように、給電装置３０Ａは、装置本体３１を備えている。
【００４３】
装置本体３１の前面３１ｆは、上方から下方に向かうにしたがって次第に前方に傾斜している。前面３１ｆは、境界部Ｓ０を挟んで、左右対称に形成されている。換言すると、前面６１ｆは、境界部Ｓ０を挟んで、第一着座空間Ｓ１及び第二着座空間Ｓ２に跨って形成されている。
【００４４】
装置本体３１の前面３１ｆは、電子装置の電源プラグが接続可能なコンセント接続ポート（接続ポート）３２や、ＵＳＢケーブルの端部に設けられたコネクタが接続可能なコネクタ接続ポート（接続ポート）３３を備えている。
【００４５】
この実施形態において、コンセント接続ポート３２及びコネクタ接続ポート３３は、装置本体３１の幅方向中心に対し、幅方向一方の側と他方の側とにそれぞれ左右対称に設けられている。詳細には、コンセント接続ポート３２及びコネクタ接続ポート３３は、境界部Ｓ０を挟んで、第一着座空間Ｓ１及び第二着座空間Ｓ２のそれぞれに設けられている。
【００４６】
図３に示すように、装置本体３１は、支持部材４０に支持されている。支持部材４０は、杆体４１と、固定金具４２と、ステー４３と、受け台４４と、を一体に備えている。
【００４７】
図３、図５に示すように、杆体４１は、平断面視矩形状の筒状をなしている。杆体４１は、互いに隣接するパネル体２０の間に挟み込まれて配置される。具体的には、杆体４１は、互いに隣接するパネル体２０の側端部に形成された溝２４ｍ，２４ｍ内に収容され、水平方向への移動が拘束されている。杆体４１の内部は、外部電力源（不図示。以下同じ。）に通線される給電ケーブル３５が挿通される配線挿通部Ｃ２とされている。
【００４８】
図３、図４に示すように、固定金具４２は、杆体４１の下端部に設けられている。固定金具４２は、パネル体２０の表面に沿って幅方向両側に突出する係合片４２ａ，４２ａを有している。各係合片４２ａは、上方に突出する凸部４２ｂを有している。
固定金具４２は、支持脚体２５に形成されたスリット２５ｓ内に下方から挿入され、凸部４２ｂがスリット２５ｓの凹部２５ｔに係合した状態で、固定金具４２と支持脚体２５とが、ボルト４５により締結される。
これにより、支持部材４０は、上下方向への移動が拘束されている。
【００４９】
図３に示すように、ステー４３は、杆体４１の上部において、杆体４１の幅方向中央部から前方に向かって突出するよう設けられている。
図５に示すように、ステー４３は、互いに隣接するパネル体２０の溝２４ｍ内で杆体４１が挟持された状態で、パネル体２０の隙間から前方に突出するよう設けられている。図２に示すように、ステー４３は、ソファー１０の背凭れベース１６の上端よりも上方に位置するよう設けられている。
【００５０】
受け台４４は、水平面内に位置するよう、ステー４３の上面に設けられている。受け台４４は、パネル体２０に対して前方のソファー１０側に張り出し、背凭れベース１６の上方に配置される。
装置本体３１は、この受け台４４上に固定されている。この状態で、装置本体３１に設けられたコンセント接続ポート３２及びコネクタ接続ポート３３は、各ソファー１０の前方を向くよう設けられている。
換言すると、装置本体３１は、パネル体２０の上部２０ｕにおいて、前面２０ｆに沿って配置されている。また、装置本体３１は、クッション１７の前面１７ｆよりも後方に配置されている。
【００５１】
このように構成されたソファーユニット１では、座部１２に着座する着座者は、パネル体２０に配置された給電装置３０Ａのコンセント接続ポート３２及びコネクタ接続ポート３３を利用して、電子機器に給電することができる。給電装置３０Ａは座部１２の着座方向の後方に設けられたパネル体２０の着座方向の前側、すなわちパネル体２０の着座者側に配置されているため、給電装置３０Ａは着座者が利用するためのものと認識しやすく、着座者以外の者が給電装置３０Ａを利用することが抑制される。よって、着座者は、パネル体２０により着座者の第一着座空間Ｓ１、第二着座空間Ｓ２が形成され、個人の第一着座空間Ｓ１、第二着座空間Ｓ２を脅かされることなく、コンセント接続ポート３２及びコネクタ接続ポート３３を利用することができる。
【００５２】
また、コンセント接続ポート３２及びコネクタ接続ポート３３が設けられた給電装置３０Ａは、パネル体２０の第一着座空間Ｓ１、第二着座空間Ｓ２の前側に設けられている。よって、コンセント接続ポート３２及びコネクタ接続ポート３３に接続された配線は、座部１２に着座する着座者の後方から前方に向かって延び電子機器に接続される。つまり、配線は例えば前後方向に延びるだけであり、取り回しがスムーズである。
【００５３】
また、座部１２に着座する着座者は、後方に設けられた背凭れ１４に背中を支持させて快適に着座することができる。
【００５４】
さらに、パネル体２０は、背凭れ１４の後方に配置され、背凭れ１４のよりも上方まで延びパネル状に形成されている。このパネル体２０における背凭れ１４よりも上方の位置に給電装置３０Ａが配置されているため、コンセント接続ポート３２及びコネクタ接続ポート３３に接続された給電ケーブル３５が着座者の邪魔になることなく快適に充電することができる。
【００５５】
また、着座者は、背凭れベース１６の前方に配置され、前方に向かって膨らむクッション１７に背中を支持させることができるため、快適に着座することができる。
【００５６】
また、クッション１７は前方に向かって膨らむ構成であるため、着座者の背中とパネル体２０との間には前後方向の空間が形成されるため、パネル体２０の前側に配置された給電装置３０Ａが着座者の背中や後頭部等の身体の後部と接触することが抑制され、安全に充電することができる。
【００５７】
また、パネル体２０は、ジョイント金具２６及び係止フック２７を介し、ソファー１０の座部１２及び背凭れベース１６の上端１６ｔに連結されている。よって、着座者がパネル体２０に荷重を加えた場合に、パネル体２０は座部１２及び背凭れ１４とともに所定の強度を有する。よって、着座者はコンセント接続ポート３２及びコネクタ接続ポート３３を利用して、安全に充電することができる。
【００５８】
また、パネル体２０には給電ケーブル３５が収容可能な配線収容部Ｃ２が形成されているため、給電ケーブル３５の外部への露出が抑制される。よって、外観品質よく、充電をすることができる。
【００５９】
さらに、配線収容部Ｃ２には支持部材４０が配置され、支持部材４０の杆体４１の内部の配線挿通部Ｃ２には給電ケーブル３５が挿通されている。よって、給電ケーブル３５の露出を確実に抑制することができるとともに、パネル体２０の溝２４ｍどうしの間に配置された給電ケーブル３５の損傷を抑制することができる。
【００６０】
また、給電装置３０Ａを支持する支持部材４０は隣接するパネル体２０の間に挟持されているため、支持部材４０の露出が抑制され、外観品質を向上させることができる。
【００６１】
また、着座者がコンセント接続ポート３２及びコネクタ接続ポート３３に電源プラグや各種のコネクタを、座部１２の前方、つまり背凭れ１４の前面に対面した側から容易に接続することができる。
【００６２】
（第２の実施形態）
次に、本発明に係る椅子の第２の実施形態について説明する。なお、以下に説明する第２の実施形態においては、上記第１の実施形態と共通する構成については図中に同符号を付してその説明を省略する。
図６は、本発明の第２の実施形態に係る什器の全体構成を示す斜視図である。図７は、上記什器の側面図である。図８は、背凭れベース上に係止された支柱及び支柱に支持された給電部を示す斜視図である。図９は、給電部を支持する支柱を斜め前方から見た斜視図である。図１０は、給電部を支持する支柱を斜め後方から見た斜視図である。
図６、図７に示すように、ソファーユニット１Ａは、着座可能な複数のソファー１０と、パネル体２０と、給電装置（給電部）３０Ｂと、を備えている。
【００６３】
給電装置３０Ｂは、装置本体３１を備えている。装置本体３１は、支柱５０に支持されている。
【００６４】
図８〜図１０に示すように、支柱５０は、支持ブラケット５１と、受け台５２と、脚部カバー５３と、を備えている。
【００６５】
支持ブラケット５１は、支柱部５４（図１０参照）と、支柱部５４から下方に延出した延出部５５と、を一体に有している。
図１０に示すように、支柱部５４は、鉛直面内に位置する板状の基部５４ａと、基部５４ａの幅方向両側から前方に延びる側壁部５４ｂとを有して、平断面視前向きコ字状をなしている。基部５４ａの下端部には、装置本体３１から導出される給電ケーブル３５を通す凹部５４ｃが形成されている。
図８〜図１０に示すように、延出部５５は、支柱部５４の基部５４ａから連続して下方に延出するプレート部５５ａと、プレート部５５ａの幅方向一端から直交して前方に延出する直交片５５ｂと、を有した平断面視Ｌ字状をなしている。
【００６６】
図１０に示すように、受け台５２は、支持ブラケット５１の支柱部５４上に、水平面内に位置するよう設けられている。受け台５２には、上下方向に貫通し、支柱部５４の基部５４ａと側壁部５４ｂ，５４ｂとに囲まれた空間に連通する開口部５２ａが形成されている。
【００６７】
受け台５２上に設置される装置本体３１には、下方に向かって延び、開口部５２ａに挿入される挿入片３１ａが一体に設けられている。挿入片３１ａには、上下方向に連続するスリット３６と、挿入片３１ａの幅方向両側から前方に延び、支柱部５４の側壁部５４ｂ，５４ｂに沿うサポート壁３７，３７とが形成されている。
装置本体３１は、挿入片３１ａを開口部５２ａから支柱部５４の内側に挿入した状態で、支柱部５４の後方から、支柱部５４に形成された貫通孔５４ｈ及びスリット３６にビス５６を挿通させ、このビス５６にナット５７を螺着させることで、支持ブラケット５１に固定される。
【００６８】
脚部カバー５３は、支持ブラケット５１の支柱部５４を前方から覆う前面部５３ａと、前面部５３ａの幅方向両側から後方に向かって延び、支柱部５４の側壁部５４ｂを幅方向外側から覆う側面部５３ｂ，５３ｂとを一体に有している。また、脚部カバー５３の前面部５３ａの背面側には、前面部５３ａと前後方向に間隔をあけて配置された固定プレート部５３ｃが設けられている。
このような脚部カバー５３は、支柱部５４の内側に挿入された挿入片３１ａに固定プレート部５３ｃを対向させた状態で、支柱部５４に形成された貫通孔５４ｇ、及びスリット３６にビス５８を挿通させ、このビス５８を固定プレート部５３ｃにねじ込むことで、支持ブラケット５１に固定される。
なお、固定プレート部５３ｃには、前記のナット５７及びビス５６の先端部を収容する開口部５３ｈが形成されている。
【００６９】
図６、図８に示すように、このような支柱５０は、互いに隣接するソファー１０，１０の境界部に配置され、支持ブラケット５１の延出部５５のプレート部５５ａを、一方のソファー１０の背凭れベース１６の背面に沿わせ、直交片５５ｂを、互いに隣接するソファー１０，１０の背凭れベース１６，１６の間に差し込んだ状態で、図示しないビスによって背凭れベース１６に固定される。この状態で、図１０に示した支柱部５４は、背凭れベース１６の上端１６ｔ上に載置される。また、給電ケーブル３５は、凹部５４ｃを通して背凭れベース１６の後方に導出される。
また、支柱５０が設けられた背凭れベース１６の後方には、背凭れベース１６を後方から覆うようにパネル体２０が設けられている。
【００７０】
このようにして設けられた支柱５０の受け台５２上に設置された装置本体３１は、背凭れベース１６の上方に配置されている。この状態で、装置本体３１に形成されたコンセント接続ポート３２及びコネクタ接続ポート３３は、各ソファー１０の前方を向くよう設けられている。
【００７１】
このように構成されたソファーユニット１Ａでは、背凭れベース１６よりも上方に延びる支柱５０上に給電装置３０Ｂが設けられているため、コンセント接続ポート３２及びコネクタ接続ポート３３が背凭れ１４よりも上方に露出する。よって、コンセント接続ポート３２及びコネクタ接続ポート３３への電源プラグや各種のコネクタの接続を容易かつ確実に行うことができる。
【００７２】
また、支柱５０は背凭れベース１６の上端に係止して設ければよいので、組立性に優れる。
【００７３】
（その他の実施形態）
なお、本発明の椅子は、図面を参照して説明した上述の各実施形態に限定されるものではなく、その技術的範囲において様々な変形例が考えられる。
例えば、椅子として、ソファーユニット１，１Ａを示したが、それらの外観や形状については何ら限定するものではなく、適宜他の構成に変更可能である。
また、給電装置３０Ａ〜３０Ｂの外観、形状についても、何ら限定するものではない。さらに、給電装置３０Ａ〜３０Ｂに、コンセント接続ポート３２やコネクタ接続ポート３３を設けるようにしたが、その種類、設置数等は適宜変更することが可能である。
また、背凭れベース１６とクッション１７とを別体としているが、背凭れベースとクッションとを、カバー部材で一体に覆うようにしてもよい。
また、支持体２は、脚部１１と座部１２とを有し、座部１２は脚部１１を介して床面Ｆ状に設置するようにしたが、支持体が脚部を有さずに座部自体を床面上に直に設置するようにしてもよい。
また、給電装置３０Ａは、ソファー１０の幅方向におけるソファー１０どうしの境界部Ｓ０上に設置するようにしたが、給電装置３０Ａが空間形成体の着座方向の前側に配置されていればよい。例えば、給電装置３０Ａは、ソファー１０の幅方向における任意の位置に設置可能である。
これ以外にも、本発明の主旨を逸脱しない限り、上記実施の形態で挙げた構成を取捨選択したり、他の構成に適宜変更したりすることが可能である。
【符号の説明】
【００７４】
１，１Ａ  ソファーユニット（什器）
２  支持体
１０  ソファー（椅子）
１１  脚部
１２  座部
１４  背凭れ
１６  背凭れベース
１７  クッション（背当て部材）
１７ｆ  クッションの前面
２０  パネル体（空間形成体、パネル部材）
３０Ａ〜３０Ｂ  給電装置（給電部）
３１  装置本体
３１ｆ  装置本体の前面
３２  コンセント接続ポート（接続ポート）
３３  コネクタ接続ポート（接続ポート）
３５  給電ケーブル（配線）
４０  支持部材
５０  支柱
Ｃ１  配線収容部
Ｃ２  配線挿通部
Ｓ  着座空間
Ｓ１  第一着座空間
Ｓ２  第二着座空間
Ｆ  床面
【図１】
2017217398.tif 000003
【図２】
2017217398.tif 000004
【図３】
2017217398.tif 000005
【図４】
2017217398.tif 000006
【図５】
2017217398.tif 000007
【図６】
2017217398.tif 000008
【図７】
2017217398.tif 000009
【図８】
2017217398.tif 000010
【図９】
2017217398.tif 000011
【図１０】
2017217398.tif 000012